【手続補正書】
【提出日】平成20年1月28日(2008.1.28)
【手続補正１】
【補正対象書類名】特許請求の範囲
【補正対象項目名】請求項１
【補正方法】変更
【補正の内容】
【請求項１】
同一周波数で設定される所定のエリアを構成する複数の基地局と、前記複数の基地局を管理するＣＷＣ（C-plane  Wireless  Controller）装置と、前記所定のエリアに存在する端末局と、を備えた無線通信システムにおける基地局の負荷分散方法であって、
認証完了後、前記基地局が、前記端末局の通信状況を監視してトラヒック情報を収集し、その収集結果を前記端末局のトラヒック情報として前記ＣＷＣ装置に対して送信する第１の工程と、
前記トラヒック情報を受信したＣＷＣ装置が、基地局単位のトラヒックの総和に基づいて前記基地局の負荷状況を判定する第２の工程と、
複数の端末局からの認証要求に対して順に前記第１の工程から第２の工程の処理を実行し、前記ＣＷＣ装置が、通信開始時点におけるトラヒックの総和が所定のしきい値を超えた場合に前記基地局が過負荷状態であると判定する第３の工程と、
前記ＣＷＣ装置が、前記基地局が過負荷状態であると判定した場合に、当該基地局のサービスエリアにおいて、音声通信を行う端末局の通信を優先し、データ通信を行う端末局の通信を切断させるための制御を行う第４の工程と、
を含むことを特徴とする負荷分散方法。
【手続補正２】
【補正対象書類名】特許請求の範囲
【補正対象項目名】請求項２
【補正方法】変更
【補正の内容】
【請求項２】
前記通信を切断させられた端末局が過負荷状態と判定されている前記基地局に対して再度認証を要求した場合、ＣＷＣ装置は、前記端末局の接続を拒否する制御を行うことを特徴とする請求項１に記載の負荷分散方法。
【手続補正３】
【補正対象書類名】特許請求の範囲
【補正対象項目名】請求項３
【補正方法】変更
【補正の内容】
【請求項３】
同一周波数で設定される所定のエリアを構成する複数の基地局と、前記複数の基地局を管理するＣＷＣ（C-plane  Wireless  Controller）装置と、前記所定のエリアに存在する端末局と、を備えた無線通信システムにおける基地局の負荷分散方法であって、
認証完了後、前記基地局が、前記端末局の呼制御処理を監視して呼制御情報を収集し、当該呼制御情報を前記ＣＷＣ装置に対して送信する第１の工程と、
前記呼制御情報を受信したＣＷＣ装置が、基地局単位の呼接続数に基づいて前記基地局の負荷状況を判定する第２の工程と、
複数の端末局からの認証要求に対して順に前記第１の工程から第２の工程の処理を実行し、前記ＣＷＣ装置が、呼接続開始時点における呼接続数が所定のしきい値を超えた場合に前記基地局が過負荷状態であると判定する第３の工程と、
前記ＣＷＣ装置が、前記基地局が過負荷状態であると判定した場合に、当該基地局のサービスエリア内に存在する、音声通信を行う特定の端末局の通信を切断させるための制御を行う第４の工程と、
を含むことを特徴とする負荷分散方法。
【手続補正４】
【補正対象書類名】特許請求の範囲
【補正対象項目名】請求項４
【補正方法】変更
【補正の内容】
【請求項４】
前記ＣＷＣ装置にて過負荷状態と判定された前記基地局は、前記特定の端末局が呼制御処理を行った場合や、前記特定の端末局に対する呼制御処理が行われた場合、それらの呼制御処理に関する信号を廃棄することを特徴とする請求項３に記載の負荷分散方法。
【手続補正５】
【補正対象書類名】特許請求の範囲
【補正対象項目名】請求項６
【補正方法】変更
【補正の内容】
【請求項６】
第１の周波数で設定される第１のエリアを構成する複数の基地局と、第２の周波数で設定される第２のエリアを構成する複数の基地局と、前記基地局を管理するＣＷＣ（C-plane  Wireless  Controller）装置と、前記第１のエリアおよび第２エリアに存在する端末局と、を備えた無線通信システムにおける基地局の負荷分散方法であって、
前記ＣＷＣ装置が、前記ＨＯ先基地局が過負荷状態であると判定した場合に、ＨＯ先基地局が、ハンドオーバーを実行中の端末局に対して切断を促すように制御する第１の工程と、
を備えることを特徴とする負荷分散方法。
【手続補正６】
【補正対象書類名】特許請求の範囲
【補正対象項目名】請求項７
【補正方法】変更
【補正の内容】
【請求項７】
第１の周波数で設定される第１のエリアを構成する複数の基地局と、第２の周波数で設定される第２のエリアを構成する複数の基地局と、前記基地局を管理するＣＷＣ（C-plane  Wireless  Controller）装置と、前記第１のエリアおよび第２エリアに存在する端末局と、を備えた無線通信システムにおける基地局の負荷分散方法であって、
第１のエリアを構成する第１の基地局を介してＣＷＣ装置が、前記第１の基地局を過負荷状態と判定した場合、前記第１の基地局に対する拒否制御を行うと同時に、隣接する第２のエリアを構成する第２の基地局に対して、前記第１の基地局が過負荷状態であることを示す過負荷状態通知を送信する第１の工程と、
過負荷状態通知を受信した第２の基地局が、前記第１の基地局が過負荷状態であることを示す情報を付与したBeaconを生成し、当該Beaconを送信する第２の工程と、
を備えることを特徴とする負荷分散方法。
【手続補正７】
【補正対象書類名】特許請求の範囲
【補正対象項目名】請求項９
【補正方法】変更
【補正の内容】
【請求項９】
同一周波数で設定される所定のエリアを構成する複数の基地局と、前記所定のエリアに存在する端末局と、ともに無線通信システムを構成するＣＷＣ（C-plane  Wireless  Controller）装置において、
前記基地局から受信した端末局に関する所定の情報（端末局情報）を登録する情報管理手段と、
基地局単位のトラヒックの総和に基づいて当該基地局の負荷状況を判定し、認証完了後の通信開始時点におけるトラヒックの総和が所定のしきい値を超えた場合に、当該基地局が過負荷状態であると判定する負荷判定手段と、
を備え、
特定の基地局を過負荷状態であると判定した場合に、当該基地局のサービスエリアにおいて、音声通信を行う端末局の通信を優先し、データ通信を行う端末局の通信を切断させるための制御を行うことを特徴とするＣＷＣ装置。
【手続補正８】
【補正対象書類名】特許請求の範囲
【補正対象項目名】請求項１１
【補正方法】変更
【補正の内容】
【請求項１１】
同一周波数で設定される所定のエリアを構成する複数の基地局と、前記所定のエリアに存在する端末局と、ともに無線通信システムを構成するＣＷＣ（C-plane  Wireless  Controller）装置において、
前記基地局から受信した端末局に関する所定の情報（端末局情報）を登録する情報管理手段と、
基地局単位の呼接続数に基づいて当該基地局の負荷状況を判定し、認証完了後の呼接続開始時点における呼接続数が所定のしきい値を超えた場合に、当該基地局が過負荷状態であると判定する負荷判定手段と、
を備え、
特定の基地局を過負荷状態であると判定した場合に、当該基地局のサービスエリア内に存在する、音声通信を行う特定の端末局の通信を切断させるための制御を行うことを特徴とするＣＷＣ装置。
【手続補正９】
【補正対象書類名】特許請求の範囲
【補正対象項目名】請求項１３
【補正方法】変更
【補正の内容】
【請求項１３】
同一周波数で設定される所定のエリアを構成する複数の基地局を管理するＣＷＣ（C-plane  Wireless  Controller）装置と、前記所定のエリアに存在する端末局と、ともに無線通信システムを構成する基地局において、
認証完了後の端末局の通信状況を監視してトラヒック情報を収集するトラヒック監視手段、
を備え、
端末局からの認証要求を受信した場合に、前記ＣＷＣ装置に対して、当該端末局に関する所定の情報（端末局情報）を含む通知を送信し、
さらに、前記トラヒック監視手段による収集結果をその端末局のトラヒック情報として前記ＣＷＣ装置に対して送信することを特徴とする基地局。
【手続補正１０】
【補正対象書類名】特許請求の範囲
【補正対象項目名】請求項１４
【補正方法】変更
【補正の内容】
【請求項１４】
同一周波数で設定される所定のエリアを構成する複数の基地局を管理するＣＷＣ（C-plane  Wireless  Controller）装置と、前記所定のエリアに存在する端末局と、ともに無線通信システムを構成する基地局において、
認証完了後の端末局の呼制御処理を監視して呼制御情報を収集する呼制御監視手段、
を備え、
端末局からの認証要求を受信した場合に、前記ＣＷＣ装置に対して、当該端末局に関する所定の情報（端末局情報）を含む確認通知を送信し、
さらに、前記呼制御監視手段による収集結果をその端末局の呼制御情報として前記ＣＷＣ装置に対して送信することを特徴とする基地局。